(57)【要約】【課題】この発明は、利用者を特定して生体情報を取得できる生体情報取得装置を提供し、利用者の満足度を向上させることを目的とする。【解決手段】体重及びインピーダンスを測定する体組成計４０と、体組成計４０を制御するユーザ端末３０と、サーバ１０とで構成し、利用者の外部管理用ＩＤと測定値とを関連付けて格納する測定結果管理テーブル７２を体組成計４０に備え、ユーザ端末３０が外部管理用ＩＤの格納要求を受け付ける際に、前利用者外部管理用ＩＤが既に格納されていた場合、既登録利用者の測定結果を記憶部１４に転送して、測定結果管理テーブル７２から消去する構成とした。【選択図】図２
2010154881.tif 000002
【特許請求の範囲】
【請求項１】
利用者を識別する利用者識別情報によって当該利用者を認証する利用者認証手段と、
認証した利用者の生体に関する生体情報を取得する生体情報取得手段とを備えた
生体情報取得装置。
【請求項２】
前記生体情報取得手段を、生体情報を測定する測定手段で構成するとともに、
該測定手段を制御する制御手段を備え、
前記測定手段に、
当該測定手段を利用する利用者の前記利用者識別情報を格納する利用者識別情報格納手段と、
前記測定手段で測定した当該利用者の測定結果情報を、前記利用者識別情報に関連付けて格納する測定結果情報格納手段とを備え、
前記制御手段に、
前記利用者識別情報の該利用者識別情報格納手段への格納要求を受け付ける利用者識別情報格納要求受付手段と、
該利用者識別情報格納要求受付手段が受けた前記利用者識別情報と異なる利用者識別情報が既に前記利用者識別情報格納手段に格納されていた場合に、前記測定結果情報格納手段に、既に格納されている既登録利用者の前記測定結果情報及び前記利用者識別情報を外部記憶手段に転送するとともに、前記利用者識別情報格納手段及び前記測定結果情報格納手段から既登録利用者の前記測定結果情報及び前記利用者識別情報を消去する転送消去制御手段を備えた
請求項１記載の生体情報取得装置。
【請求項３】
前記利用者識別情報に関連付けて、利用者へ連絡できる連絡先情報を格納し、
前記既登録利用者の連絡先へ、新たな前記利用者識別情報を前記利用者識別情報格納手段に登録する旨を連絡する連絡手段を備えた
請求項２記載の生体情報取得装置。
【請求項４】
前記制御手段に、
前記利用者識別情報格納要求受付手段が前記利用者識別情報の格納要求を受け付ける際に、
異なる利用者識別情報が既に前記利用者識別情報格納手段に格納されている旨の通知をする通知手段を備えた
請求項２または３記載の生体情報取得装置。
【請求項５】
前記生体情報取得手段を、脈波を含む血圧を少なくとも測定する測定手段で構成するとともに、
該測定手段を制御する制御手段を備え、
前記制御手段に、
前記測定手段で測定した脈波情報を、前記利用者識別情報に関連付けて格納する測定結果格納手段と、
前記利用者識別情報とは異なり、仮の利用者識別情報である仮利用者識別情報を、作成する仮利用者識別情報作成手段と、
前記仮利用者識別情報作成後に測定した脈波情報と、前記測定結果格納手段に格納された前記脈波情報とを比較し、適合した際に前記仮利用者識別情報と前記利用者識別情報とを関連付ける比較適合手段とを備えた
請求項１記載の生体情報取得装置。
【請求項６】
前記測定手段を、前記血圧に加え、インピーダンス及び／又は体重を測定する構成とし、
前記測定結果格納手段に、前記脈波情報に加え、前記測定手段で測定した前記インピーダンス情報及び／又は前記体重情報を前記利用者識別情報に関連付けて記憶し、
前記比較適合手段を、
前記仮利用者識別情報作成後に測定したインピーダンス情報及び／又は体重情報と、前記測定結果格納手段に格納された前記インピーダンス情報及び／又は前記体重情報とを比較し、適合した際に前記仮利用者識別情報と前記利用者識別情報とする構成とした
請求項５記載の生体情報取得装置。
【請求項７】
前記利用者識別情報に関連付けて、利用者へ連絡できる連絡先情報を格納し、
前記比較適合手段によって、前記仮利用者識別情報と前記利用者識別情報とを関連付ける旨を、前記連絡先へ連絡する連絡手段を備えた
請求項５又は６記載の生体情報取得装置。
【請求項８】
前記生体情報取得手段を、生体情報を測定し、それぞれにユニークな測定手段識別情報が設定された測定手段で構成するとともに、
該測定手段を制御する制御手段と、
利用する前記測定手段に対応する測定手段識別情報及び前記利用者識別情報の入力を受け付ける利用情報受付手段を備え、
前記測定手段に、
前記測定手段識別情報を格納する測定手段識別情報格納手段と、
前記測定手段で測定した当該利用者の測定結果情報を、前記測定手段識別情報に関連付けて前記制御手段に送信する測定結果送信手段とを備え、
前記制御手段に、
該利用者ごとに前記測定結果情報を格納する測定結果格納手段と、
前記測定結果送信手段から、関連付けされて送信された測定結果情報及び測定手段識別情報を受信する測定結果受信手段と、
該測定結果受信手段が受信した測定結果情報を、関連付けされた前記測定手段識別情報を介して、前記利用者識別情報に対応する利用者の測定結果として前記測定結果格納手段に格納する
請求項１記載の生体情報取得装置。
【請求項９】
体組成測定に必要な測定条件情報を前記利用者識別情報に関連付けて格納する測定条件情報格納手段と、
前記利用情報受付手段によって入力された前記利用者識別情報及び前記測定手段識別情報に基づいて、当該利用者の前記測定条件情報を、該当する前記測定手段に送信する測定条件情報送信手段とを備え、
前記測定手段に、
前記測定条件情報送信手段から送信された前記測定条件情報を受信し、利用者の体組成測定に前記測定条件情報を反映させる測定条件反映手段とを備えた
請求項８記載の生体情報取得装置。
【請求項１０】
前記利用情報受付手段を、利用者が携帯可能な利用者携帯端末で構成し、
前記制御手段に、
前記測定手段識別情報と関連付け、当該測定手段の設置場所に関する測定手段設置場所情報を格納する測定手段設置場所情報格納手段と、
前記利用者携帯端末から入力された前記測定手段識別情報に基づいて、対応する測定手段の前記測定手段設置場所情報を前記利用者携帯端末に送信する測定手段設置場所情報送信手段を備え、
前記利用者携帯端末に、
前記測定手段設置場所情報送信手段から送信された前記測定手段設置場所情報を受信して、出力する測定手段設置場所情報出力手段を備えた
請求項８又は９記載の生体情報取得装置。
【請求項１１】
前記利用情報受付手段を、現在位置情報を取得する現在位置情報取得手段と、取得した前記現在位置情報を、前記制御手段に送信する現在位置情報送信手段とを備え、前記利用者が携帯可能な現在位置情報取得携帯端末で構成し、
前記制御手段に、
前記現在位置情報取得携帯端末から送信された前記現在位置情報に基づいて、利用できる前記測定手段を抽出する利用可能測定手段抽出手段と、抽出した利用可能測定手段抽出結果を前記現在位置情報取得携帯端末に送信する利用可能測定手段抽出結果送信手段とを備え、
前記現在位置情報取得携帯端末に、
送信された前記利用可能測定手段抽出結果を受信して、出力する利用可能測定手段抽出結果出力手段と、
該利用可能測定手段抽出結果出力手段で出力された利用可能測定手段抽出結果から利用する前記測定手段を選択する前記測定手段選択手段と、
前記測定手段を選択した測定手段選択情報を前記制御手段に送信する測定手段選択情報送信手段を備えた
請求項８又は９記載の生体情報取得装置。
【請求項１２】
前記生体情報取得手段として生体情報を測定する測定手段を備えるとともに、
該測定手段からの測定結果情報を受信して管理する測定結果管理手段を備え、
該測定手段に、
当該測定手段を利用する利用者の前記利用者識別情報を格納する利用者識別情報格納手段と、
前記測定手段で測定した当該利用者の測定結果情報を、前記利用者識別情報に関連付けて前記測定結果管理手段に送信する測定結果送信手段とを備え、
前記測定結果管理手段に、
前記測定結果送信手段から送信された測定結果情報を受信する測定結果受信手段と、
該測定結果受信手段が受信する測定結果情報に関連付けられた前記利用者識別情報が、前記利用者認証手段が入力を受け付けた利用者識別情報と一致する際に、前記測定結果受信手段による前記測定結果情報の受信を許可する受信許可手段を備えた
請求項１記載の生体情報取得装置。
【発明の詳細な説明】
【技術分野】
【０００１】
この発明は、例えば生体の情報を取得するような生体情報取得装置に関する。
【背景技術】
【０００２】
従来から、生体情報を取得するものとして、体組成計、体温計、歩数計、血圧計など様々な生体情報取得装置がある。これらの生体情報取得装置は、複数の利用者が利用できる環境に設置されることが多く、利用者を特定してデータを取得する必要があった。
【発明の開示】
【発明が解決しようとする課題】
【０００３】
この発明は、上述の問題に鑑み、利用者を特定して生体情報を取得できる生体情報取得装置を提供し、利用者の満足度を向上させることを目的とする。
【課題を解決するための手段】
【０００４】
本発明は、利用者を識別する利用者識別情報によって当該利用者を認証する利用者認証手段と、認証した利用者の生体に関する生体情報を取得する生体情報取得手段とを備えた生体情報取得装置であることを特徴とし、これにより、利用者を特定して生体情報を取得することができる。
【０００５】
この発明の態様として、前記生体情報取得手段を、生体情報を測定する測定手段で構成するとともに、該測定手段を制御する制御手段を備え、前記測定手段に、当該測定手段を利用する利用者の前記利用者識別情報を格納する利用者識別情報格納手段と、前記測定手段で測定した当該利用者の測定結果情報を、前記利用者識別情報に関連付けて格納する測定結果情報格納手段とを備え、前記制御手段に、前記利用者識別情報の該利用者識別情報格納手段への格納要求を受け付ける利用者識別情報格納要求受付手段と、該利用者識別情報格納要求受付手段が受けた前記利用者識別情報と異なる利用者識別情報が既に前記利用者識別情報格納手段に格納されていた場合に、前記測定結果情報格納手段に、既に格納されている既登録利用者の前記測定結果情報及び前記利用者識別情報を外部記憶手段に転送するとともに、前記利用者識別情報格納手段及び前記測定結果情報格納手段から既登録利用者の前記測定結果情報及び前記利用者識別情報を消去する転送消去制御手段を備えることができる。
【０００６】
これにより、前に当該測定手段を利用していた前利用者が使用していた利用者識別情報格納手段におけるユーザ番号を引き継いで使用した場合であっても、自分の測定値に前利用者の測定値が混入することも無く、さらに、前利用者の測定値も、すべて外部記憶手段に転送記憶されるため、前利用者の測定結果等が欠落することを防止できる。
【０００７】
また、他人である前利用者が使用していた測定手段に対し、誤って利用者登録した場合であっても、その測定器に記憶されていた本来の利用者の測定値を外部記憶手段に転送することで、予期しない測定値の消失を防止することができる。
【０００８】
また、この発明の態様として、前記利用者識別情報に関連付けて、利用者へ連絡できる連絡先情報を格納し、前記既登録利用者の連絡先へ、新たな前記利用者識別情報を前記利用者識別情報格納手段に登録する旨を連絡する連絡手段を備えることができる。
【０００９】
このため、既登録利用者に対し、自分が登録していた利用者識別情報格納手段に、新たな利用者の利用者識別情報が登録されたことを連絡できるため、故意に利用者識別情報が変更された場合や、間違って利用者識別情報が変更された様な場合であっても、利用者識別情報が変更された既登録利用者が変更内容を確認でき、新たに登録した利用者や、既に利用者登録していた既登録利用者にとって利便性を向上することができる。既登録利用者が知ることが可能になる。
【００１０】
また、この発明の態様として、前記制御手段に、前記利用者識別情報格納要求受付手段が前記利用者識別情報の格納要求を受け付ける際に、異なる利用者識別情報が既に前記利用者識別情報格納手段に格納されている旨の通知をする通知手段を備えることができる。
【００１１】
このように、利用者登録する利用者によって、既登録利用者が登録している利用者識別情報格納手段に間違って利用者識別情報を登録してしまうような誤操作の対策として、既登録利用者の利用者識別情報が存在する通知するため、誤った利用者登録を防止することができる。
【００１２】
利用者識別情報前記生体情報取得手段を、脈波を含む血圧を少なくとも測定する測定手段で構成するとともに、該測定手段を制御する制御手段を備え、前記制御手段に、前記測定手段で測定した脈波情報を、前記利用者識別情報に関連付けて格納する測定結果格納手段と、前記利用者識別情報とは異なり、仮の利用者識別情報である仮利用者識別情報を、作成する仮利用者識別情報作成手段と、前記仮利用者識別情報作成後に測定した脈波情報と、前記測定結果格納手段に格納された前記脈波情報とを比較し、適合した際に前記仮利用者識別情報と前記利用者識別情報とを関連付ける比較適合手段とを備えることができる。
【００１３】
これにより、住所、氏名、生年月日などの個人情報に加えて、利用者の生体情報である脈波波形を比較することによって、利用者が利用者識別情報を忘れた場合であっても、仮利用者識別情報を発行して生体情報取得装置を利用することができる。
【００１４】
また、生体情報を取得する測定手段での測定結果である脈波波形を利用者認証のための比較対象としたことによって、別の特別な装置が要さず、第三者に取得されることがないため、発行した仮利用者識別情報と、これまでの利用者識別情報とを安全に関連付けすることができる。したがって、利用者識別情報を忘れた利用者にとって、安全且つ利便性の高い生体情報取得装置を構成することができる。
【００１５】
また、この発明の態様として、前記測定手段を、前記血圧に加え、インピーダンス及び／又は体重を測定する構成とし、前記測定結果格納手段に、前記脈波情報に加え、前記測定手段で測定した前記インピーダンス情報及び／又は前記体重情報を前記利用者識別情報に関連付けて記憶し、前記比較適合手段を、前記仮利用者識別情報作成後に測定したインピーダンス情報及び／又は体重情報と、前記測定結果格納手段に格納された前記インピーダンス情報及び／又は前記体重情報とを比較し、適合した際に前記仮利用者識別情報と前記利用者識別情報とを関連付ける構成とすることができる。  
これにより、発行した仮利用者識別情報と、これまでの利用者識別情報とをさらに安全に関連付けすることができる。
【００１６】
また、この発明の態様として、前記利用者識別情報に関連付けて、利用者へ連絡できる連絡先情報を格納し、前記比較適合手段によって、前記仮利用者識別情報と前記利用者識別情報とを関連付ける旨を、前記連絡先へ連絡する連絡手段を備えることができる。
【００１７】
これにより、発行した仮利用者識別情報とこれまでの利用者識別情報とを関連付けする際に、これまでの利用者識別情報の利用者の電子メールアドレス等の連絡先に通知できるため、万が一、第三者が成りすまそうとしていた場合であっても、本当の利用者に通知され、知らない間に成りすまされていたというようなことを回避できる。
【００１８】
また、この発明の態様として、前記生体情報取得手段を、生体情報を測定し、それぞれにユニークな測定手段識別情報が設定された測定手段で構成するとともに、該測定手段を制御する制御手段と、利用する前記測定手段に対応する測定手段識別情報及び前記利用者識別情報の入力を受け付ける利用情報受付手段を備え、前記測定手段に、前記測定手段識別情報を格納する測定手段識別情報格納手段と、前記測定手段で測定した当該利用者の測定結果情報を、前記測定手段識別情報に関連付けて前記制御手段に送信する測定結果送信手段とを備え、前記制御手段に、該利用者ごとに前記測定結果情報を格納する測定結果格納手段と、前記測定結果送信手段から、関連付けされて送信された測定結果情報及び測定手段識別情報を受信する測定結果受信手段と、該測定結果受信手段が受信した測定結果情報を、関連付けされた前記測定手段識別情報を介して、前記利用者識別情報に対応する利用者の測定結果として前記測定結果格納手段に格納することができる。
【００１９】
これにより、利用する測定手段を識別する測定手段識別情報が特定された状態で測定を開始するため、制御手段は、利用者の利用者識別情報と測定手段識別情報とを一時的に関連付けして管理することができる。
【００２０】
したがって、制御手段は、測定後に、測定手段から測定手段識別情報とともに送信される測定値を、測定手段識別情報とを一時的に関連付けされている利用者識別情報の利用者の測定値として格納して管理することができる。
【００２１】
このように、利用者は、別のＩＤカードのように、利用者を識別するための別の装置を持つことなく、例えば、普及率の高い携帯電話等を利用情報受付手段として用いて、複数の利用者が利用できる環境にある測定手段による測定結果を確実に自分の測定値として管理することができる。
【００２２】
また、この発明の態様として、体組成測定に必要な測定条件情報を前記利用者識別情報に関連付けて格納する測定条件情報格納手段と、前記利用情報受付手段によって入力された前記利用者識別情報及び前記測定手段識別情報に基づいて、当該利用者の前記測定条件情報を、該当する前記測定手段に送信する測定条件情報送信手段とを備え、前記測定手段に、前記測定条件情報送信手段から送信された前記測定条件情報を受信し、利用者の体組成測定に前記測定条件情報を反映させる測定条件反映手段とを備えることができる。
【００２３】
これにより、身長等の体組成計測定に必要な情報が測定手段へ送信でき、利用者は測定するたびに、身長等の体組成計測定に必要な情報を入力することなく測定できるため、利便性を向上することができる。
【００２４】
また、この発明の態様として、前記利用情報受付手段を、利用者が携帯可能な利用者携帯端末で構成し、前記制御手段に、前記測定手段識別情報と関連付け、当該測定手段の設置場所に関する測定手段設置場所情報を格納する測定手段設置場所情報格納手段と、前記利用者携帯端末から入力された前記測定手段識別情報に基づいて、対応する測定手段の前記測定手段設置場所情報を前記利用者携帯端末に送信する測定手段設置場所情報送信手段を備え、前記利用者携帯端末に、前記測定手段設置場所情報送信手段から送信された前記測定手段設置場所情報を受信して、出力する測定手段設置場所情報出力手段を備えることができる。
【００２５】
これにより、利用者は、制御手段から送信された利用する測定手段の設置場所を測定手段設置場所情報出力手段に出力して確認し、現在位置と異なる場合は入力した測定手段識別情報が誤入力であったことを確認できる。したがって、測定手段識別情報の誤入力によって測定結果を管理できない等の不具合を防止することができる。
【００２６】
また、この発明の態様として、前記利用情報受付手段を、現在位置情報を取得する現在位置情報取得手段と、取得した前記現在位置情報を、前記制御部に送信する現在位置情報送信手段とを備え、前記利用者が携帯可能な現在位置情報取得携帯端末で構成し、前記制御手段に、前記現在位置情報取得携帯端末から送信された前記現在位置情報に基づいて、利用できる前記測定手段を抽出する利用可能測定手段抽出手段と、抽出した利用可能測定手段抽出結果を前記現在位置情報取得携帯端末に送信する利用可能測定手段抽出結果送信手段とを備え、、前記現在位置情報取得携帯端末に、送信された前記利用可能測定手段抽出結果を受信して、出力する利用可能測定手段抽出結果出力手段と、該利用可能測定手段抽出結果出力手段で出力された利用可能測定手段抽出結果から利用する前記測定手段を選択する前記測定手段選択手段と、前記測定手段を選択した測定手段選択情報を前記制御手段に送信する測定手段選択情報送信手段を備えることができる。
【００２７】
これにより、利用者は現在位置情報取得携帯端末の現在位置情報取得手段で現在位置情報を取得し、制御部に記憶された測定手段の設置場所から設置可能な測定手段を抽出して、測定手段選択手段で選択できるため、測定手段識別情報の入力間違いを防止して確実に、利用者を特定して測定した測定値を管理することができる。また、測定しようとする利用者以外の人がいたずらで現在位置情報取得携帯端末を操作することによる測定阻害を防止することができる。
【００２８】
また、この発明の態様として、前記生体情報取得手段として生体情報を測定する測定手段を備えるとともに、該測定手段からの測定結果情報を受信して管理する測定結果管理手段を備え、該測定手段に、当該測定手段を利用する利用者の前記利用者識別情報を格納する利用者識別情報格納手段と、前記測定手段で測定した当該利用者の測定結果情報を、前記利用者識別情報に関連付けて前記測定結果管理手段に送信する測定結果送信手段とを備え、前記測定結果管理手段に、前記測定結果送信手段から送信された測定結果情報を受信する測定結果受信手段と、該測定結果受信手段が受信する測定結果情報に関連付けられた前記利用者識別情報が、前記利用者認証手段が入力を受け付けた利用者識別情報と一致する際に、前記測定結果受信手段による前記測定結果情報の受信を許可する受信許可手段を備えることができる。
【００２９】
これにより、測定手段で測定した測定値を、確実に利用者を識別して、制御手段で格納して管理することができる。また、例えば、測定手段と、制御手段とをそれぞれに測定手段識別情報等で識別し、認証してから通信する生体情報取得装置の場合、制御手段を変更したりすると、測定手段に変更した制御手段の情報を変更入力する等の手間が生じ、利便性は高くないが、利用者がログイン時に入力した利用者識別情報と、測定時に測定手段に入力した利用者識別情報とを照合しているため、機器を変更した場合であっても、問題なく、安全に通信して，測定値を利用者を識別して安全に格納して管理でき、利用者にとっての利便性を向上することができる。
【発明の効果】
【００３０】
この発明により、利用者を特定して生体情報を取得することができる。
【発明を実施するための最良の形態】
【００３１】
この発明の最良の形態は、利用者を識別する利用者識別情報によって当該利用者を認証する利用者認証手段と、認証した利用者の生体に関する生体情報を取得する生体情報取得手段とを備えた生体情報取得装置である。  
以下、この発明の一実施形態を図面と共に説明する。
【実施例１】
【００３２】
まず、利用者を認証できる生体情報取得システムの一種であり、登録された利用者を問題なく変更できる生体情報取得システム１について、実施例１で説明する。  
従来から、ＰＣや携帯電話などのクライアント上で動作する測定器管理プログラムなどを使用し、測定値を外部のＰＣやサーバにて管理する生体情報取得システムは、測定器に格納されたユーザ番号と、利用者ＩＤを上記管理用プログラムにて関連付けすることで、利用者を特定して継続的なデータ管理を実現している。
【００３３】
具体的には、通常の上記生体情報取得システムにおいて、例えば、測定器のユーザ番号Aを使用していた利用者Ａの測定値は、ユーザ番号Aの測定値として測定器に格納している。
【００３４】
このような状況において、例えば、測定器のユーザ番号Aを使用していた利用者Ａがその使用を中止し、その測定器のユーザ番号Aを利用者Ｂが引き継いで使用する場合、測定器には利用者Ａの測定値が残った状態であり、そのまま利用者Ｂがユーザ番号Aを使用すると、利用者Ａの測定値の後に、利用者Ｂの測定値が記録され、結果的に利用者Ｂの測定値は利用者Ａの測定値が混ざった状態で格納されるという問題があった。
【００３５】
例えば、利用者Ｂが使用開始する前に、測定器内でユーザ番号Aとして格納された利用者Ａの測定値を消去可能としてもよいが、利用者Ａの了承が無く消去するおそれもあり、このような既に登録されている他人の測定値の消去処理を利用者に任せることは問題がある。
【００３６】
これに対し、実施例１の生体情報取得システム１は、既に利用者が登録されたユーザ番号を継続して使用する場合に、既登録の測定値を記録装置に転送してから消去することによって、登録された利用者を問題なく変更でき、利用者にとっての利便性を向上することを目的としている。以下、図面と共に具体的に説明する。
【００３７】
図１は生体情報取得システム１のシステム構成図を示し、図２は生体情報取得システム１のシステム構成を示すブロック図を示し、図３は記憶部１４や体組成計４０の記憶部４６に格納した利用者識別情報及び測定値の管理テーブルについての説明図を示し、図４は生体情報取得システム１を利用する際の利用者登録処理についてのフローチャートを示している。
【００３８】
生体情報取得システム１は、サーバ１０と、各利用者が利用するユーザ端末３０と、ユーザ端末３０に接続された体組成計４０とで構成している。  
なお、ユーザ端末３０は、それぞれ、インターネット２０を介してサーバ１０に接続される構成であるが、生体情報取得システム１を利用する利用者の数だけ存在している。
【００３９】
サーバ１０は、例えばサーバ装置として利用されるような適宜のコンピュータであり、制御部１１、操作部１２、表示部１３、記憶部１４、および通信部１５等を有している。通信部１５は、有線接続するＬＡＮボードや無線通信する無線ＬＡＮボードなど、適宜の通信機器で構成することができる。
【００４０】
また、サーバ１０は記憶部１４に記憶した管理データベース（ＤＢ）１４ａによって、登録された利用者の連絡先であるメールアドレスを含む利用者情報を記憶及び管理するとともに、生体情報取得システム１を運営するために必要な情報を記憶及び管理している。
【００４１】
前記利用者情報は、図３（ａ）の利用者情報管理テーブル７１に示すように、登録された利用者ごとに設定されたユニークな外部管理用ＩＤ、利用者の連絡先であるメールアドレス情報、性別情報、年齢情報、身長情報、体重情報、インピーダンス情報、生年月日情報及びその他の情報を格納している。なお、体重情報、インピーダンス情報は体組成計で測定した結果であり、その他の情報は利用者によって入力された情報である。
【００４２】
さらに、記憶部１４には、図３（ｃ）の転送測定値管理テーブル７３に示すように、測定ごとに設定されたユニークな測定番号、体組成計４０から転送された、既登録利用者の外部管理用ＩＤと、該外部管理用ＩＤと関連付けて、体重情報、インピーダンス情報及びその他の測定値を格納している。
【００４３】
ユーザ端末３０は、例えばパーソナルコンピュータで構成され、制御部３１、操作部３２、表示部３３、記憶部３４および通信部３５を有している。通信部３５は、有線接続するＬＡＮボードや無線通信する無線ＬＡＮボードなど、適宜の通信機器で構成することができる。
【００４４】
なお、記憶部３４は、有線接続するＵＳＢ（Ｕｎｉｖｅｒｓａｌ  Ｓｅｒｉａｌ  Ｂｕｓ）や無線通信するＢｌｕｅｔｏｏｔｈ（登録商標）など、適宜の通信インターフェースで構成することができる。
【００４５】
ユーザ端末３０と通信可能に接続された体組成計４０は、制御部４１、通信部４２、操作部４３、表示部４４、測定部４５および記憶部４６等により構成されている。  
制御部４１は、ＣＰＵとＲＯＭとＲＡＭあるいはマイコン（マイクロコンピュータ）により構成されており、ＲＯＭ等に記憶されているプログラムに従って各部の制御動作や演算動作を実行する。
【００４６】
通信部４２は、制御部４１に接続されており、該制御部４１の制御信号に従ってユーザ端末３０と通信を行う。なお、この通信部４２は、ユーザ端末３０に限らず、歩数計などの他の生体情報取得装置と通信する、あるいはインターネット２０に直接接続して、サーバ１０等と通信するなど、適宜の装置と通信する構成にしてもよい。  
操作部４３は、押下操作される複数のボタンにより構成されており、体重や身長といった利用者情報の入力など、利用者に押下操作された入力情報を制御部４１へ送る。
【００４７】
表示部４４は、液晶画面（図１参照）などの表示装置によって構成され、制御部４１から送られる画像信号に従って文字や図形といった画像を表示する。  
測定部４５は、低電流回路とインピーダンス検知部と電極とで構成される体脂肪率測定部、および複数のロードセルで構成される体重測定部により構成されている。
【００４８】
記憶部４６は、測定部４５で測定した測定結果等を、当該利用者のユーザ番号情報及び外部管理用ＩＤとともに、記憶部４６の測定結果管理テーブル７２（図３（ｂ）参照）に格納して記憶している。
【００４９】
これにより、体組成計４０は、測定部４５で利用者の体重とインピーダンスを測定し、その測定結果を、当該利用者のユーザ番号情報及び外部管理用ＩＤ情報とともに記憶し、ユーザ端末３０と通信することができる。なお、測定結果管理テーブル７２には測定時刻も合わせて格納してもよい。
【００５０】
次に、このような構成の生体情報取得システム１において、体組成計４０を利用するための利用者登録処理について、図４とともに説明する。  
まず、利用者は、自分のユーザ端末３０を操作して管理アプリケーション（以下において、管理アプリという）を起動し、自分の外部管理用ＩＤを入力することによって、ログインする（ステップｓ１）。この利用者によるログインによって、ユーザ端末３０は、接続された体組成計４０とサーバ１０とも通信可能な状態となる。なお、このとき、合わせてパスワードを入力してログインする構成であってもよい。
【００５１】
ログイン後、利用者は、ユーザ端末３０で測定器利用者登録を選択するとともに（ステップｓ２）、自分の外部管理用ＩＤを登録するユーザ番号を選択する（ステップｓ３）。
【００５２】
選択したユーザ番号に、外部管理用ＩＤを登録するか否かの確認が表示され、登録しない旨の「いいえ」が選択されると（ステップｓ４：Ｎｏ）、「登録を中断しました」とユーザ端末３０の表示部３３に表示され（ステップｓ５）、この利用者登録処理は終了する。
【００５３】
逆に、登録する旨の「はい」が選択されると（ステップｓ４：Ｙｅｓ）、ユーザ端末３０は体組成計４０から当該ユーザ番号に対応する外部管理用ＩＤを読み出す（ステップｓ６）。
【００５４】
このとき、当該ユーザ番号に対応する外部管理用ＩＤ、すなわち、当該ユーザ番号に対応する前利用者の外部管理用ＩＤ（以下において、前利用者外部管理用ＩＤという）が登録されていない場合、ユーザ端末３０は、体組成計４０のユーザ番号に外部管理用ＩＤを登録して（ステップｓ８）、利用者登録処理を終了する。
【００５５】
このとき、当該ユーザ番号に対応する前利用者外部管理用ＩＤが既に登録されていた場合、ユーザ端末３０の表示部３３に「このユーザ番号には、他の人のデータが登録されています」と表示され（ステップｓ９）、外部管理用ＩＤの登録を継続する否かの確認が表示され、登録を継続しない旨の「いいえ」が選択されると（ステップｓ１０：Ｎｏ）、「登録を中断しました」とユーザ端末３０の表示部３３に表示され（ステップｓ１１）、この利用者登録処理は終了する。
【００５６】
逆に、登録する旨の「はい」が選択されると（ステップｓ１０：Ｙｅｓ）、ユーザ端末３０は、体組成計４０から当該ユーザ番号に対応する前利用者外部管理用ＩＤの測定値を、記憶部に格納した測定結果管理テーブル７２から読み出し（ステップｓ１２）、サーバ１０の記憶部１４に、前利用者外部管理用ＩＤとともに、測定値情報を転送して格納し（ステップｓ１３）、ユーザ端末３０は、体組成計４０の測定結果管理テーブル７２から、当該ユーザ番号に対応する前利用者外部管理用ＩＤの測定値を消去する（ステップｓ１４）。
【００５７】
さらに、サーバ１０の記憶部１４の利用者情報管理テーブル７１から、前利用者外部管理用ＩＤに対応する利用者のメールアドレス情報を読み出し、ユーザ番号が変更された旨を電子メールで通知し（ステップｓ１５）、前利用者外部管理用ＩＤの測定値が消去された当該ユーザ番号にあらたな外部管理用ＩＤを登録して（ステップｓ８）、利用者登録処理を終了する。
【００５８】
以上に説明したように、この生体情報取得装置（生体情報取得システム１）は、生体情報（体重及びインピーダンス）を測定する測定手段（体組成計４０）と、該測定手段（体組成計４０）を制御する制御手段（ユーザ端末３０）とに加えて、サーバ１０を備えて構成し、体組成計４０に、当該測定手段（体組成計４０）を利用する利用者の利用者識別情報（外部管理用ＩＤ）を格納する利用者識別情報格納手段（測定結果管理テーブル７２）と、体組成計４０で測定した当該利用者の測定結果情報（測定値）を、利用者識別情報（外部管理用ＩＤ）に関連付けて格納する測定結果情報格納手段（測定結果管理テーブル７２）とを備えている。
【００５９】
また、前記制御手段（ユーザ端末３０）に、利用者識別情報（外部管理用ＩＤ）の該利用者識別情報格納手段（測定結果管理テーブル７２）への格納要求を受け付ける利用者識別情報格納要求受付手段（ステップｓ２及びステップｓ３を実行する制御装置３１）と、該利用者識別情報格納要求受付手段（ステップｓ２及びステップｓ３を実行する制御装置３１）が受けた利用者識別情報（外部管理用ＩＤ）と異なる利用者識別情報（前利用者外部管理用ＩＤ）が既に前記利用者識別情報格納手段（測定結果管理テーブル７２）に格納されていた場合に、前記測定結果情報格納手段（測定結果管理テーブル７２）に、既に格納されている既登録利用者の前記測定結果情報（測定値）及び前記利用者識別情報（前利用者外部管理用ＩＤ）を外部記憶手段（記憶部１４）に転送するとともに、前記測定結果情報格納手段（測定結果管理テーブル７２）から既登録利用者の前記測定結果情報（測定値）及び前記利用者識別情報（前利用者外部管理用ＩＤ）を消去する転送消去制御手段（ステップｓ１２乃至ｓ１４を実行する制御装置３１）を備えている。
【００６０】
これにより、前に当該測定手段（体組成計４０）を利用していた前利用者が使用していたユーザ番号を引き継いで使用した場合であっても、自分の測定値に前利用者の測定値が混入することも無く、さらに、前利用者の測定値も、すべて外部の記憶部１４に転送記憶されるため、前利用者の記録データが欠落することもなくなる。
【００６１】
また、他人である前利用者が使用していた測定器（体組成計４０）に対し、誤って利用者登録した場合であっても、その測定器（体組成計４０）に記憶されていた本来の利用者の測定値を外部の記憶部１４に転送することで、予期しない措定値データの消失を防止することができる。
【００６２】
また、生体情報取得装置（生体情報取得システム１）は、利用者識別情報（外部管理用ＩＤ）に関連付けて、利用者へ連絡できる連絡先情報（メールアドレス情報）を格納し、前記既登録利用者の連絡先へ、新たな利用者識別情報（外部管理用ＩＤ）と前記利用者識別情報格納手段（測定結果管理テーブル７２）とを関連付ける旨を連絡する連絡手段（ステップｓ１５を実行する制御装置３１）を備えている。
【００６３】
このため、前利用者に対し、自分が登録していたユーザ番号に、新たな利用者の外部管理用ＩＤが登録されたことを連絡できるため、故意に利用者登録が変更された場合や、間違って利用者登録が変更された様な場合であっても、利用者登録が変更された前利用者が変更内容を確認でき、新たに登録した利用者や、既に利用者登録していた前利用者にとって利便性を向上することができる。前利用者が知ることが可能になる。
【００６４】
また、生体情報取得装置（生体情報取得システム１）は、前記制御手段（ユーザ端末３０）に、前記利用者識別情報格納要求受付手段（ステップｓ２及びステップｓ３を実行する制御装置３１）が利用者識別情報（外部管理用ＩＤ）の格納要求を受け付ける際に、異なる利用者識別情報（前利用者外部管理用ＩＤ）が既に前記利用者識別情報格納手段（測定結果管理テーブル７２）に格納されている旨の通知をする通知手段（ステップｓ９を実行する制御装置３１）を備えている。
【００６５】
このように、利用者登録する利用者によって、既に前利用者が登録しているユーザ番号に間違って利用者識別情報（外部管理用ＩＤ）を登録してしまうような誤操作の対策として、前利用者の外部管理ＩＤが存在することを通知できるため、誤った利用者登録を防止することができる。
【００６６】
なお、本実施例において、生体情報取得手段として利用者の体重及びインピーダンスを測定できる体組成計４０を用いたが、体重のみを測定できる体重計、血圧を測定できる血圧計、利用者の歩数を計測する歩数計、利用者の活動量を計測する活動量計、体温を測定する体温計、心臓の筋肉の動きに伴う電流を計測する心電計、あるいは血糖値を計測する血糖計で構成してもよい。
【００６７】
また、本実施例において、体組成計４０は、利用者が利用するユーザ端末３０に、有線や無線で接続される構成であったが、インターネット２０に直接接続できる構成であってもよい。
【００６８】
さらに、利用者はユーザ端末３０を用いて利用者登録処理を実行する構成であったが、ユーザ端末３０からサーバ１０にアクセスし、サーバ１０の制御部１１によって利用者登録処理する構成であってもよい。  
また、本実施例においては、前利用者の測定値をサーバ１０の記憶部１４に転送する構成であったが、サーバ機能を有さない外付けのＨＤに転送する構成であってもよい。
【００６９】
さらには、生体情報取得システム１にサーバ１０を備えずとも、ユーザ端末３０と、体組成計４０のみで生体情報取得システム１を構成してもよい。  
また、ユーザ端末３０の代わりに、利用者が携帯でき、パケット通信網を介してインターネット２０に接続可能に構成された携帯電話を用いてもよい。
【００７０】
さらにまた、複数のユーザ番号を備えて複数の利用者を登録できる構成としたが、体組成計４０のそれぞれに対して1つずつのユーザ番号を登録する構成であってもよい。  
これらの上述する構成であっても同じ効果を得ることができる。
【実施例２】
【００７１】
次に、例えば、実施例１のように、外部管理用ＩＤを用いて利用者登録を行って生体情報取得システムを利用していたが、利用者が外部管理用ＩＤを忘れ等によって紛失した場合であっても、安全に外部管理用ＩＤを再発行できる生体情報取得システム１００について、実施例２で説明する。
【００７２】
従来から、ＰＣや携帯電話などのクライアント上で動作する測定器管理プログラムなどを使用し、測定値を外部のＰＣやサーバにて管理する生体情報取得システムは、上述の実施例１に示すように、利用者が外部管理用ＩＤを用いて利用者登録処理を行い、利用者を特定して継続的なデータ管理を実現している。
【００７３】
しかし、このような生体情報取得システムにおいて、利用者による外部管理用ＩＤを忘れ等によって紛失するおそれがある。その場合、新たに独立した外部管理用ＩＤで利用者登録して、システムを利用することもできるが、今まで蓄積した測定値データがなくなるため、利用者にとって満足できる対処方法ではなかった。
【００７４】
また、別の方法としては、電話などで、住所、氏名、生年月日、電子メールアドレスなどの情報を再度確認し、利用者を特定してから、新たな外部管理用ＩＤと、元外部管理用ＩＤで管理されていた測定値とを関連付けし直す方法が考えられる。
【００７５】
この場合、住所、氏名、生年月日などの個人情報は、第三者によって悪用される可能性があり、悪意の第三者による成りすましを回避することができないという問題があった。
【００７６】
さらにまた、住所、電子メールアドレスは変更される可能性があり、サーバに登録された情報と食い違うことがあり、新たな外部管理用ＩＤと、元外部管理用ＩＤで管理されていた測定値とを確実に関連付けできないという問題もあった。
【００７７】
そこで、実施例２の生体情報取得システム１００は、上記の一般的な情報と生体情報を組み合わせることで、利用者が外部管理用ＩＤを忘れた場合であっても、例えば、悪意の第三者による成りすましを確実に防止でき、利用者にとっての利便性を向上することを目的としている。以下、図面と共に具体的に説明する。
【００７８】
図５は生体情報取得システム１００のシステム構成図を示し、図６は生体情報取得システム１００のシステム構成を示すブロック図を示し、図７は記憶部１４に格納した利用者情報の管理テーブルについての説明図を示し、図８は生体情報取得システム１００を利用する際の再アカウント登録処理についてのフローチャートを示している。
【００７９】
生体情報取得システム１００は、インターネット２０に有線または無線により接続されたサーバ１０、ユーザ端末３０、体組成計４０と血圧計１５０によって構成されている。  
ユーザ端末３０に接続された血圧計１５０は、制御部１５１、通信部１５２、操作部１５３、表示部１５４、測定部１５５等により構成されている。
【００８０】
制御部１５１は、ＣＰＵとＲＯＭとＲＡＭあるいはマイコン（マイクロコンピュータ）により構成されており、ＲＯＭ等に記憶されているプログラムに従って各部の制御動作や演算動作を実行する。  
通信部１５２は、制御部１５１及びユーザ端末３０に接続されており、該制御部１５１の制御信号に従ってユーザ端末３０等と通信する構成である。
【００８１】
操作部１５３は、押下操作される複数のボタンにより構成されており、測定開始や測定値転送の入力など、利用者に押下操作された入力情報を制御部１５１へ送る。  
表示部１５４は、液晶画面（図５参照）などの表示装置によって構成され、制御部１５１から送られる画像信号に従って文字や図形といった画像を表示する。
【００８２】
測定部１５５は、ポンプによって圧力制御されたカフ内の圧力を圧力センサで検出して、血圧及び脈波を検出する。  
これにより、血圧計１５０は、ユーザ端末３０を介してサーバ１０やユーザ端末３０と通信するとともに、利用者の血圧及び脈波を測定することができる。  
その他の構成は、実施例１と同一であるので、同一要素に同一符号を付してその詳細な説明を省略する。
【００８３】
なお、サーバ１０は記憶部１４に記憶した管理ＤＢ１４ａによって、登録された利用者の連絡先であるメールアドレス、性別、体重、身長を含む利用者情報に加えて、脈波波形データを記憶する脈波ファイルを記憶及び管理するとともに、生体情報取得システム１００を運営するために必要な情報を記憶及び管理している。
【００８４】
詳述すると、前記利用者情報は、図７の利用者情報管理テーブル１７１に示すように、登録された利用者ごとに設定されたユニークな外部管理用ＩＤ、名前情報、利用者の連絡先であるメールアドレス情報、性別情報、体重情報、身長情報、血圧計１５０で計測した脈拍情報、血圧データである最高血圧情報や最低血圧情報、脈波波形データを記憶する脈波ファイルのファイルＩＤ、その他の情報を格納している。
【００８５】
次に、このような構成の生体情報取得システム１００を利用するにあたって、利用者が登録した外部管理用ＩＤを忘れた場合の仮アカウント登録処理について、図８とともに説明する。  
まず、利用者は、自分のユーザ端末３０を操作して管理アプリを起動して仮アカウント作成を操作し、作成された仮外部管理用ＩＤで生体情報取得システム１００にログインする（ステップｓ１００）。
【００８６】
そして、利用者はユーザ端末３０に接続された血圧計１５０を用いて血圧測定を行い、脈波データを含む血圧計測定値をサーバ１０に送信するとともに（ステップｓ１０１）、身長及び生年月日等を設定して体重及びインピーダンスを体組成計４０で測定し、測定値をサーバ１０に送信する（ステップｓ１０２）。
【００８７】
脈波データを含む血圧計測定値、体重測定値及びインピーダンス測定値を受信したサーバ１０は、仮アカウントでログインした利用者の測定値として、上記データを一時記憶するとともに、入力した身長、生年月日の設定値や、体重測定値及びインピーダンス測定値に該当する利用者情報を有する利用者を記憶部１４の利用者情報管理テーブル１７１に記憶した利用者情報から絞り込む（ステップｓ１０３）。
【００８８】
さらに、記憶部１４の利用者情報管理テーブル１７１に格納された利用者情報から絞り込んだ利用者の脈波波形データを記憶する脈波ファイルを読み出し、血圧計１５０から受信した脈波データを比較し、一致する場合、絞り込んだ利用者情報を有する利用者が該当する利用者であるとし、仮外部管理用ＩＤと今までの外部管理用ＩＤとを関連付けする（ステップｓ１０４）。
【００８９】
そして、仮外部管理用ＩＤと関連付けされた外部管理用ＩＤに対応する利用者の電子メールアドレスを読み出し、当該電子メールアドレス宛に仮外部管理用ＩＤと今までの外部管理用ＩＤとが関連付けされたことを通知する電子メールを送信して（ステップｓ１０５）、この仮アカウント登録処理を終了する。
【００９０】
なお、上記本仮アカウント登録では、仮外部管理用ＩＤと今までの外部管理用ＩＤとを関連付けするだけであったが、今までの外部管理用ＩＤを消去して仮外部管理用ＩＤをこれからの外部管理用ＩＤとしてもよいし、また、仮外部管理用ＩＤでログインした利用者に、忘れられた外部管理用ＩＤを通知する構成であってもよい。
【００９１】
以上に説明したように、この生体情報取得装置（生体情報取得システム１００）は、脈波を含む血圧を少なくとも測定する測定手段（血圧計１５０）と、該測定手段（血圧計１５０）を制御する制御手段（ユーザ端末３０）とに加えて、サーバ１０及び体組成計４０を備えて構成し、前記制御手段（ユーザ端末３０）に、前記測定手段（血圧計１５０）で測定した脈波情報を、利用者識別情報（外部管理用ＩＤ）に関連付けて格納する測定結果格納手段（利用者情報管理テーブル１７１）と、利用者識別情報（外部管理用ＩＤ）とは異なり、仮の利用者識別情報である仮利用者識別情報（仮外部管理用ＩＤ）を作成する仮利用者識別情報作成手段（ステップｓ１００を実行する制御装置１１）と、前記仮利用者識別情報（仮外部管理用ＩＤ）の作成後に測定した脈波情報と、前記測定結果格納手段（利用者情報管理テーブル１７１）に格納された前記脈波情報とを適合した際に前記仮利用者識別情報（仮外部管理用ＩＤ）と利用者識別情報（外部管理用ＩＤ）とを関連付ける比較適合手段（ステップｓ１０４を実行する制御装置１１）とを備えている。
【００９２】
これにより、住所、氏名、生年月日などの個人情報に加えて、利用者の生体情報である脈波波形を比較することによって、例えば、利用者が外部管理用ＩＤを忘れた場合であっても、仮利用者識別情報（仮外部管理用ＩＤ）を発行して、生体情報取得システム１００を利用できるため、利用者にとっての利便性を向上することができる。
【００９３】
また、生体情報を取得する血圧計１５０での測定結果である脈波波形を利用者認証のための比較対象としたことによって、別の特別な装置が要さず、第三者に取得されることがないため、発行した仮外部管理用ＩＤと、これまでの外部管理用ＩＤとを安全に関連付けすることができる。したがって、外部管理用ＩＤを忘れた利用者にとって、安全且つ利便性の高い生体情報取得システム１００を構成することができる。
【００９４】
また、生体情報取得装置（生体情報取得システム１００）は、前記血圧を測定する測定手段（血圧計１５０）に加えて、インピーダンス及び／又は体重を測定する体組成計４０を備え、前記測定結果格納手段（利用者情報管理テーブル１７１）に、前記脈波情報に加え、前記測定手段（血圧計１５０）で測定した前記インピーダンス情報及び／又は前記体重情報を利用者識別情報（外部管理用ＩＤ）に関連付けて記憶し、前記比較適合手段（ステップｓ１０４を実行する制御装置１１）を、前記仮利用者識別情報（仮外部管理用ＩＤ）の作成後に測定したインピーダンス情報及び／又は体重情報と、前記測定結果格納手段（利用者情報管理テーブル１７１）に格納された前記インピーダンス情報及び／又は前記体重情報とを比較し、適合した際に前記仮利用者識別情報（仮外部管理用ＩＤ）と利用者識別情報（外部管理用ＩＤ）とを関連付けているため、発行した仮利用者識別情報（仮外部管理用ＩＤ）と、これまでの利用者識別情報（外部管理用ＩＤ）とをさらに安全に関連付けすることができる。
【００９５】
また、利用者識別情報（外部管理用ＩＤ）に関連付けて、利用者へ連絡できる連絡先情報（電子メールアドレス）を格納し、前記比較適合手段（ステップｓ１０４を実行する制御装置１１）によって、前記仮利用者識別情報（仮外部管理用ＩＤ）と利用者識別情報（外部管理用ＩＤ）とを関連付ける旨を、前記連絡先へ連絡する連絡手段（ステップｓ１０５を実行する制御装置１１）を備えているため、発行した仮外部管理用ＩＤとこれまでの外部管理用ＩＤとを関連付けする際に、これまでの外部管理用ＩＤの利用者の電子メールアドレス宛に通知でき、万が一、第三者が成りすまそうとしていた場合であっても、本当の利用者に通知されるため、知らない間に成りすまされていたというようなことを回避できる。
【００９６】
なお、本実施例において、血圧計１５０に加えて、利用者の体重及びインピーダンスを測定できる体組成計４０を用いたが、体重のみを測定できる体重計、心臓の筋肉の動きに伴う電流を計測する心電計、あるいは血糖値を計測する血糖計で構成してもよい。
【００９７】
また、本実施例において、血圧計１５０は、利用者が利用するユーザ端末３０に、有線や無線で接続される構成であったが、ユーザ端末３０に接続できる構成であってもよい。
【００９８】
さらに、利用者はユーザ端末３０を用いてサーバ１０に仮アカウント登録処理を実行する構成であったが、ユーザ端末３０の制御部３１によって仮アカウント登録処理を実行する構成であってもよい。
【００９９】
また、本実施例においては、利用者の測定値や利用者情報をサーバ１０の記憶部１４の利用者情報管理テーブル１７１に格納する構成であったが、ユーザ端末３０の記憶部３４に格納し、生体情報取得システム１００にサーバ１０を備えずとも、ユーザ端末３０と、体組成計４０と、血圧計１５０のみで生体情報取得システム１００を構成してもよい。
【０１００】
また、ユーザ端末３０の代わりに、利用者が携帯でき、パケット通信網を介してインターネット２０に接続可能に構成された携帯電話を用いてもよい。  
これらの上述する構成であっても同じ効果を得ることができる。
【０１０１】
さらに、記憶部１４には、後述する仮アカウント登録処理で発行した際の仮外部管理用ＩＤと、元の外部管理用ＩＤとを、仮外部管理用ＩＤの発行日と関連付けて格納して管理してもよい。
【実施例３】
【０１０２】
次に、複数の利用者が利用する場所に設置された測定器で測定した場合であっても、確実に利用者を識別してデータ管理できる生体情報取得システム２００について、実施例３で説明する。  
従来から、例えば、上述の実施例１や実施例２で記載のような生体情報取得システムにおける体組成計４０のように家庭で使用する測定機器においては、機器内部のメモリに測定値を記録し、その記録値を任意のタイミングでサーバ１０に転送すればよい。しかし、複数の人がその測定機器を使用する集会場などに設置された場合は、測定の都度、測定値をサーバ１０に転送する必要があり、利便性が高いシステムではなかった。
【０１０３】
なお、複数の利用者が利用できる測定器で測定した測定値を利用者ごとに管理する方法として、磁気カードや光磁気カード等のＩＤカードなどを用い、測定機器で測定した測定値をＩＤカードに記憶させ、ＩＤカードに記憶させた測定値をＩＤ読み取り装置で読み取ってサーバ１０に転送する方法が提案されている（特開平０３−１７６０２４号公報参照）。
【０１０４】
しかし、この方法を生体情報取得システムに転用したとしても、利用者はＩＤカードを持ち歩く必要があり、利便性が高いとはいえなかった。また、ＩＤカードを読み取るためのＩＤ読み取り装置を用意する必要があるなど運営コストの問題も発生していた。
【０１０５】
そこで、本実施例の生体情報取得システム２００は、例えば、普及率の高い携帯電話を用いて利用者を識別して測定値をサーバへ転送することによって確実に管理でき、利用者にとっての利便性の高い生体情報取得システムを構築することを目的としている。以下、図面と共に具体的に説明する。
【０１０６】
図９は生体情報取得システム２００のシステム構成図を示し、図１０は生体情報取得システム２００のシステム構成を示すブロック図を示し、図１１は記憶部１４や、体組成計４０の記憶部４６に格納した利用者識別情報及び測定値や測定機器識別情報の管理テーブルについての説明図を示し、図１２は生体情報取得システム２００を利用する際の測定機器選択及び測定値登録処理についてのフローチャートを示し、図１３はステップｓ２０４，２０５で出力される機器選択画面２３３０の概要説明図を示している。
【０１０７】
生体情報取得システム２００は、インターネット２０に有線または無線により接続されたサーバ１０、ユーザ携帯電話２３０、体組成計４０によって構成されている。  
体組成計４０の記憶部４６には、図１１（ｃ）に示すように体組成計４０の機器番号、機器ＩＤ、設置場所情報、測定種別情報を格納している。
【０１０８】
ユーザ携帯電話２３０は、パケット通信網２１に接続されたアンテナ２２と無線で通信する携帯電話機であり、ＣＰＵとＲＯＭとＲＡＭとで構成する制御部２３１、不揮発性メモリ等で構成する記憶部２３２、液晶ディスプレイで構成する表示部２３３、押下ボタン等で構成する操作部２３４、マイク等の音声入力装置、スピーカ等の発音装置、アンテナ等の通信部２３５、後述するＧＰＳ受信部２３６等を備えている。  
その他の構成は、実施例１及び実施例２の構成と同一であるので、同一要素に同一符号を付してその詳細な説明を省略する。
【０１０９】
なお、サーバ１０は記憶部１４に記憶した管理ＤＢ１４ａによって、利用者情報管理テーブル２７１で利用者情報を記憶及び管理し、測定機器情報管理テーブル２７２で測定機器情報を記憶及び管理している。
【０１１０】
前記利用者情報は、図１１（ａ）の利用者情報管理テーブル２７１に示すように、登録された利用者ごとに設定されたユニークな外部管理用ＩＤ、利用者のニックネーム情報、性別情報、年齢情報、身長情報、体重情報、インピーダンス情報、生年月日情報及びその他の情報を格納している。なお、体重情報、インピーダンス情報は体組成計で測定した結果であり、その他の情報は利用者によって入力された情報である。
【０１１１】
前記測定機器情報は、図１１（ｂ）の測定機器情報管理テーブル２７２に示すように、登録された測定機器ごとに設定されたユニークな測定機器番号、測定機器ＩＤ、設置場所情報、測定種別情報等、その他の情報を格納している。
【０１１２】
次に、このような構成の生体情報取得システム２００において、体組成計４０が複数の利用者によって利用できる環境に設置された場合の利用者による測定利用の利用方法について、図１２とともに説明する。  
まず、生体情報取得システム２００のサービスを提供するにあたって、サーバ１０に体組成計４０の少なくともとも機器ＩＤ及び設置場所を登録するとともに、体組成計４０にそれぞれの機器ＩＤを登録する（ステップｓ２００）。
【０１１３】
利用者は、自分のユーザ携帯電話２３０を操作して管理アプリを起動し、外部管理用ＩＤで生体情報取得システム２００にログインし、操作部２３４を操作して、屋外測定を選択するとともに（ステップｓ２０１）、ユーザ携帯電話２３０のＧＰＳ受信部２３６を用いて現在地情報を取得し、取得した現在地情報と外部管理用ＩＤとを関連付けてサーバ１０に送信する（ステップｓ２０２）。
【０１１４】
利用者のユーザ携帯電話２３０から現在地情報を受信したサーバ１０は、該現在地情報と、測定機器情報管理テーブル２７２に格納する設置場所情報とを比較し、利用可能な体組成計４０等の測定機器を抽出し（ステップｓ２０３）、ユーザ携帯電話２３０に送信する。
【０１１５】
サーバ１０から利用可能な測定機器として抽出された体組成計４０を受信したユーザ携帯電話２３０は、図１３（ｂ）に示すように、選択可能なプルダウンメニューとしてリスト表示する。  
詳しくは、利用可能機器の抽出結果を受信したユーザ携帯電話２３０は、表示部２３３に図１３（ａ）に示す機器選択画面２３３０を表示する。
【０１１６】
該機器選択画面２３３０は、ＧＰＳ受信部２３６で取得した現在地情報を表示する現在地情報表示部２３３１と、利用可能機器選択プルダウン２３３２と、利用可能機器選択プルダウン２３３２で選択した選択情報をサーバ１０に送信する選択送信ボタン２３３３で構成している。
【０１１７】
利用者によって、利用可能機器選択プルダウン２３３２に備えたプルダウンボタン２３３２ａが押下されると、図１３（ｂ）に示すように、利用可能機器選択プルダウン２３３２は下方に広がり、サーバ１０によって利用可能な測定機器として抽出された抽出結果をリスト状に表示する。
【０１１８】
リスト状に表示された抽出結果の中から利用する測定機器を選択し（ステップｓ２０５）、選択送信ボタン２３３３を押下すると、ユーザ携帯電話２３０は選択した測定機器の機器ＩＤをサーバ１０に送信する。
【０１１９】
ユーザ携帯電話２３０から選択した測定機器の機器ＩＤを受信したサーバ１０は、記憶部１４の利用者情報管理テーブル２７１で管理する外部管理用ＩＤと、選択した測定機器の機器ＩＤとを関連付けして管理し（ステップｓ２０６）、利用者情報管理テーブル２７１に格納する外部管理用ＩＤに対応する利用者の身長などの体組成計の測定に必要な情報やニックネームなどの設定データを選択された体組成計４０に送信する（ステップｓ２０７）。
【０１２０】
利用者の測定が完了した体組成計４０は、記憶部４６に格納された機器ＩＤとともに測定値をサーバ１０に送信する（ステップｓ２１０）。  
体組成計４０から機器ＩＤとともに測定値を受信したサーバ１０は、機器ＩＤと関連付けして管理している外部管理用ＩＤに対応する利用者の測定値であるとして、受信した測定値を利用者情報管理テーブル２７１に格納して管理し（ステップｓ２１１）、利用者による生体情報取得システム２００の測定利用は完了する。
【０１２１】
以上に説明したように、この生体情報取得装置（生体情報取得システム２００）は、は、それぞれにユニークな測定手段識別情報（機器ＩＤ）が設定された測定手段（体組成計４０）と、該測定手段（体組成計４０）を制御する制御手段（サーバ１０）と、利用者が利用するユーザ携帯電話２３０とで構成し、利用する測定手段（体組成計４０）に対応する測定手段識別情報（機器ＩＤ）、及び利用者識別情報（外部管理用ＩＤ）の入力を受け付ける利用情報受付手段（ステップｓ２０２及びステップｓ２０５を実行する制御部２３１）を備え、測定手段（体組成計４０）に、前記測定手段識別情報（機器ＩＤ）を格納する測定手段識別情報格納手段（機器ＩＤを記憶する記憶部４６）と、測定手段（体組成計４０）で測定した当該利用者の測定結果情報（測定値）を、前記測定手段識別情報（機器ＩＤ）に関連付けて前記制御手段（サーバ１０）に送信する測定結果送信手段（ステップｓ２１０を実行する制御部４１）とを備え、前記制御手段（サーバ１０）に、該利用者ごとに前記測定結果情報（測定値）を格納する測定結果格納手段（測定機器情報管理テーブル２７２）と、前記測定結果送信手段（ステップｓ２１０を実行する制御部４１）から、関連付けされて送信された測定結果情報（測定値）及び測定手段識別情報（機器ＩＤ）を受信する測定結果受信手段と、該測定結果受信手段が受信した測定結果情報（測定値）を、関連付けされた前記測定手段識別情報（機器ＩＤ）を介して、利用者識別情報（外部管理用ＩＤ）に対応する利用者の測定結果として前記測定結果格納手段（利用者情報管理テーブル２７１）に格納している。
【０１２２】
これにより、利用する体組成計４０を識別する機器ＩＤが特定された状態で測定を開始するため、サーバ１０は、利用者の外部管理用ＩＤと機器ＩＤとを一時的に関連付けして管理することができる。
【０１２３】
したがって、サーバ１０は、測定後に、体組成計４０から機器ＩＤとともに送信される測定値を、機器ＩＤとを一時的に関連付けされている外部管理用ＩＤの利用者の測定値として格納して管理することができる。
【０１２４】
このように、生体情報取得システム２００では、利用者は、例えば別のＩＤカードのように、利用者を識別するための別の装置を持つことなく、普及率の高いユーザ携帯電話２３０を操作して、複数の利用者が利用できる環境にある測定手段（体組成計４０）を利用した測定結果を確実に自分の測定値として管理することができる。
【０１２５】
また、生体情報取得装置（生体情報取得システム２００）は、体組成測定に必要な測定条件情報（身長等）を利用者識別情報（外部管理用ＩＤ）に関連付けて格納する測定条件情報格納手段（利用者情報管理テーブル２７１）と、前記利用情報受付手段（ステップｓ２０２及びステップｓ２０５を実行する制御部２３１）によって入力された利用者識別情報（外部管理用ＩＤ）及び前記測定手段識別情報（機器ＩＤ）に基づいて、当該利用者の前記測定条件情報（身長等）を、該当する測定手段（体組成計４０）に送信する測定条件情報送信手段（ステップｓ２０７を実行する制御部１１）とを備え、測定手段（体組成計４０）に、前記測定条件情報送信手段（ステップｓ２０７を実行する制御部１１）から送信された前記測定条件情報（身長等）を受信し、利用者の体組成測定に前記測定条件情報（身長等）を反映させる測定条件反映手段（ステップｓ２０８を実行する制御部４１）とを備えている。
【０１２６】
これにより、身長等の体組成計測定に必要な情報がサーバ１０から体組成計４０へ送信でき、利用者は測定するたびに、身長等の体組成計測定に必要な情報を入力することなく測定できるため、利便性を向上することができる。
【０１２７】
生体情報取得装置（生体情報取得システム２００）は、前記利用情報受付手段（ステップｓ２０２及びステップｓ２０５を実行する制御部２３１）を、現在位置情報を取得する現在位置情報取得手段（ＧＰＳ受信部２３６）と、取得した前記現在位置情報を、前記制御部に送信する現在位置情報送信手段（ステップｓ２０２を実行する制御部２３１）とを備えたユーザ携帯電話２３０に備え、前記制御手段（サーバ１０）に、前記ユーザ携帯電話２３０から送信された前記現在位置情報に基づいて、利用できる測定手段（体組成計４０）を抽出する抽出手段（ステップｓ２０３を実行する制御部１１）と、利用可能測定手段抽出結果（利用可能機器の抽出結果）を前記ユーザ携帯電話２３０に送信する利用可能測定手段抽出結果送信手段（ステップｓ２０３を実行する制御部１１）を備え、前記ユーザ携帯電話２３０に、送信された前記利用可能測定手段抽出結果（抽出結果）を受信して、出力する利用可能測定手段抽出結果出力手段（機器選択画面２３３０を出力する表示部２３３）と、該利用可能測定手段抽出結果出力手段（機器選択画面２３３０を出力する表示部２３３）で出力された利用可能測定手段抽出結果（抽出結果）から利用する測定手段（体組成計４０）を選択する前記測定手段選択手段（利用可能機器選択プルダウン２３３２）と、測定手段（体組成計４０）を選択した測定手段選択情報を前記制御手段（サーバ１０）に送信する測定手段選択情報送信手段（選択送信ボタン２３３３）を備えている。
【０１２８】
これにより、利用者はユーザ携帯電話２３０のＧＰＳ受信部２３６で現在地情報を取得し、サーバ１０の測定機器情報管理テーブル２７２に記憶された体組成計４０の設置場所から設置可能な体組成計４０を抽出して、選択送信ボタン２３３３で選択できるため、機器ＩＤの入力間違いを防止して確実に、利用者を特定して測定した測定値を管理することができる。また、測定しようとする利用者以外の人がいたずらでユーザ携帯電話２３０を操作することによる測定阻害を防止することができる。
【０１２９】
また、測定手段の表示部４４にニックネームや外部管理用ＩＤ等を表示するとともに、測定ガイダンスを表示することができるため、利用者自身は、ニックネーム情報を確認することで、自分が利用する測定機器であることが明らかに分かるため、安心して利用することができる。  
さらにまた、表示部４４に表示された測定ガイダンスにしたがって測定できるため、利用者にとって利便性を向上することができる。
【０１３０】
なお、ユーザ携帯電話２３０で選択された体組成計４０の機器ＩＤと、測定結果をサーバ１０に送信する体組成計４０からの機器ＩＤとを比較し、一致する際に測定結果を格納して管理するように、機器ＩＤをいわゆるパスワードのような認証鍵として用いてもよい。
【０１３１】
また、サーバ１０がユーザ携帯電話２３０から送信された現在地情報から周辺の利用可能な体組成計４０を抽出する際に、ユーザ携帯電話２３０の周辺の体組成計４０等で他の利用者による利用を判別し、他の利用者が利用している体組成計４０を抽出結果から排除し、現在他人に使用されていない、すぐに利用できる体組成計４０のみを抽出する構成であってもよい。
【０１３２】
なお、上記実施例においては、ユーザ携帯電話２３０のＧＰＳ受信部２３６で現在地情報を取得し、サーバ１０に記憶された体組成計４０の設置場所から設置可能な体組成計４０を抽出して、選択送信ボタン２３３３によって利用する体組成計４０を選択する構成であったが、ＧＰＳ受信部２３６のない通常の携帯電話を用い、利用者によって利用する体組成計４０の機器ＩＤを入力する構成であってもよい。  
これにより、利用する体組成計４０を識別する機器ＩＤと利用者の外部管理用ＩＤと機器ＩＤとを一時的に関連付けして管理した状態で測定することができる。
【０１３３】
したがって、サーバ１０は、測定後に、体組成計４０から機器ＩＤとともに送信される測定値を、機器ＩＤとを一時的に関連付けされている外部管理用ＩＤの利用者の測定値として格納して管理することができる。
【０１３４】
このように、利用者は、例えば別のＩＤカードのように、利用者を識別するための別の装置を持つことなく、通常の携帯電話であっても、複数の利用者が利用できる環境にある測定機器を利用した測定結果を確実に自分の測定値として管理することができる。
【０１３５】
また、通常の携帯電話から機器ＩＤの入力を直接受けた場合であっても、サーバ１０から測定機器情報管理テーブル２７２に格納した当該体組成計４０の設置場所情報を利用者の携帯電話に送信してもよい。
【０１３６】
これにより、利用者は、サーバ１０から送信された利用する体組成計４０の設置場所を表示部２３３に出力して確認し、現在地と異なる場合は入力した機器ＩＤが誤入力であったことを確認できる。したがって、機器ＩＤの誤入力によって測定結果を管理できない等の不具合を防止することができる。
【０１３７】
なお、この場合、前記利用情報受付手段（ステップｓ２０２及びステップｓ２０５を実行する制御部２３１）は、利用者が携帯可能な通常の携帯電話に備え、前記制御手段（サーバ１０）に、前記測定手段識別情報（機器ＩＤ）と関連付け、当該測定手段（体組成計４０）の設置場所に関する測定手段設置場所情報を格納する測定手段設置場所情報格納手段（測定機器情報管理テーブル２７２）と、前記利用者携帯端末から入力された前記測定手段識別情報（機器ＩＤ）に基づいて、対応する測定手段（体組成計４０）の前記測定手段設置場所情報を前記利用者携帯端末（通常の携帯電話）に送信する測定手段設置場所情報送信手段（測定機器情報管理テーブル２７２に格納した当該体組成計４０の設置場所情報を利用者の携帯電話に送信する制御部１１）を備え、前記利用者携帯端末（通常の携帯電話）に、前記測定手段設置場所情報送信手段（制御部１１）から送信された前記測定手段設置場所情報を受信して出力する測定手段設置場所情報出力手段（体組成計４０の設置場所を出力する表示部２３３）を備えることで実現できる。
【０１３８】
なお、本実施例において、利用者の体重及びインピーダンスを測定できる体組成計４０を用いたが、上述の実施例２で用いたような血圧計１５０や、体重のみを測定できる体重計、心臓の筋肉の動きに伴う電流を計測する心電計、あるいは血糖値を計測する血糖計で構成してもよい。
【０１３９】
また、本実施例において、体組成計４０は、直接インターネット２０に接続できる構成であったが、サーバ１０等のサーバに有線や無線で接続して、サーバ１０を介してインターネット２０に接続される構成であってもよい。
【０１４０】
また、本実施例においては、利用者の測定値や利用者情報をサーバ１０の記憶部１４の利用者情報管理テーブル２７１や測定機器情報管理テーブル２７２に格納する構成であったが、ユーザ携帯電話２３０の記憶部２３２に格納し、生体情報取得システム２００にサーバ１０を備えずとも、ユーザ携帯電話２３０と、体組成計４０のみで生体情報取得システム２００を構成してもよい。  
これらの上述する構成であっても同じ効果を得ることができる。
【実施例４】
【０１４１】
次に、体組成計４０と利用者が利用するユーザ端末３０とを登録し、通信してデータ管理する生体情報取得システムにおいて、例えば、交換等によって異なるユーザ端末３０を用いても利用できる生体情報取得システム３００について実施例４で説明する。  
従来から、上述の実施例で示すような記載の生体情報取得システムにおいて、体組成計４０と利用者が利用するユーザ端末３０とを登録し、通信してデータ管理することによって、例えば測定結果を送受信してより効率的にデータを格納して管理している。
【０１４２】
このような構成であっても、上記システムにおいては、利用者が利用するユーザ端末３０が、例えば、ハードディスクの故障により機能しなくなり、別のユーザ端末３０に買い換えた場合、あらかじめ変更前のユーザ端末３０に登録されている体組成計４０の機種情報をサーバ１０に転送して保管し、変更後のユーザ端末３０に、サーバ１０に転送していた体組成計４０の機種情報を反映することで、変更後のユーザ端末３０は、接続可能な体組成計４０を認識することができる。
【０１４３】
しかしながら、体組成計４０側は、変更後のユーザ端末３０の機種情報が反映されていないため、体組成計４０が変更後のユーザ端末３０を認識できなくなるというおそれがあった。
【０１４４】
そこで、実施例４の生体情報取得システム３００は、ユーザ端末３０や体組成計４０に依存しない情報で、お互いを関連付けることにより、利用者が異なるユーザ端末３０を用いた場合であっても、異なるユーザ端末３０を用いたことによる登録情報の変更作業をせずとも、そのまま利用でき、生体情報取得システムを構築することを目的としている。以下、図面と共に具体的に説明する。
【０１４５】
図１４は生体情報取得システム３００のシステム構成図を示し、図１５は生体情報取得システム３００のシステム構成を示すブロック図を示し、図１６は記憶部１４に格納した利用者情報の管理テーブルについての説明図を示し、図１７は生体情報取得システム３００を利用する際の測定方法についてのフローチャートを示している。
【０１４６】
生体情報取得システム３００は、上述の実施例１と同様にインターネット２０に有線または無線により接続されたサーバ１０、ユーザ端末３０、体組成計４０によって構成されている。なお、体組成計４０は、実施例１と異なり、インターネット２０に直接接続されている。
【０１４７】
なお、サーバ１０は記憶部１４に記憶した管理ＤＢ１４ａによって、利用者情報管理テーブル３７１で利用者情報を記憶及び管理している。  
また、体組成計４０の記憶部４６では、測定する際に、測定する利用者によって入力された外部管理用ＩＤを一時的に記憶する構成である。
【０１４８】
前記利用者情報は、図１６の利用者情報管理テーブル３７１に示すように、登録された利用者ごとに設定されたユニークな外部管理用ＩＤ、利用者の名前情報、ログインする際に入力するパスワード（ＰＷ）情報、性別情報、年齢情報、身長情報、体重情報、インピーダンス情報、生年月日情報及びその他の情報を格納している。なお、体重情報、インピーダンス情報は体組成計で測定した結果であり、その他の情報は利用者によって入力された情報である。
【０１４９】
次に、このような構成の生体情報取得システム３００において、体組成計４０で測定した測定値をサーバ１０で格納して管理する測定方法について、図１７とともに説明する。
【０１５０】
まず、利用者は、自分のユーザ端末３０を操作して管理アプリを起動し、外部管理用ＩＤ及びＰＷで生体情報取得システム３００にログインする（ステップｓ３００）。  
そして、測定する体組成計４０の操作部４３を操作して、自分の外部管理用ＩＤを入力して測定する（ステップｓ３０１）。
【０１５１】
測定が完了した体組成計４０は、測定結果である測定値を、利用者によって入力された外部管理用ＩＤとともに、サーバ１０に送信する（ステップｓ３０２）。  
体組成計４０から外部管理用ＩＤとともに測定値を受信したサーバ１０は、利用者がログイン時（ステップｓ３００）に入力した外部管理用ＩＤと、体組成計４０から受信した外部管理用ＩＤとを比較し（ステップｓ３０３）、比較した結果、一致していれば、外部管理用ＩＤとともに体組成計４０から送信された測定値を受信して、利用者情報管理テーブル３７１に格納する（ステップｓ３０４）。
【０１５２】
なお、体組成計４０から送信された測定値を一旦受信してから、ステップｓ３０３での比較結果が一致すれば利用者情報管理テーブル３７１に格納し、一致しなければ受信した測定値を消去する構成であってもよい。
【０１５３】
さらには、比較した結果一致しなかった場合は、ユーザ端末３０や体組成計４０に一致しなかった旨の表示を出力する構成であってもよい。
【０１５４】
以上に説明したように、この生体情報取得装置（生体情報取得システム３００）は、それぞれにユニークな測定手段識別情報（機器ＩＤ）が設定された測定手段（体組成計４０）と、該測定手段（体組成計４０）を制御する制御手段（サーバ１０）と、利用者が利用するユーザ端末３０とで構成し、該測定手段（体組成計４０）からの測定結果を受信して管理する測定結果管理手段（利用者情報管理テーブル３７１）を備え、該測定手段（体組成計４０）に、当該測定手段（体組成計４０）を利用する利用者の利用者識別情報（外部管理用ＩＤ）を格納する利用者識別情報格納手段（記憶部４６）と、体組成計４０で測定した当該利用者の測定結果情報（測定値）を、利用者識別情報（外部管理用ＩＤ）に関連付けて前記測定結果管理手段（利用者情報管理テーブル３７１を管理する制御部１１）に送信する測定結果送信手段（ステップｓ３０２を実行する制御部４１）とを備え、前記測定結果管理手段（利用者情報管理テーブル３７１）に、前記測定結果送信手段（ステップｓ３０２を実行する制御部４１）から送信された測定結果情報（測定値）を受信する測定結果受信手段（通信部１５）と、該測定結果受信手段（通信部１５）が受信する測定結果情報（測定値）に関連付けられた利用者識別情報（外部管理用ＩＤ）が、前記利用者認証手段が入力を受け付けた利用者識別情報（外部管理用ＩＤ）と一致する際に、前記測定結果受信手段（通信部１５）による前記測定結果情報（測定値）の受信を許可する受信許可手段（ステップｓ３０３及びステップｓ３０４を実行する制御部１１）を備えている。
【０１５５】
これにより、体組成計４０で測定した測定結果を、確実に利用者を識別して、サーバ１０で格納して管理することができる。また、例えば、体組成計４０と、ユーザ端末３０とをそれぞれに機器ＩＤ等で識別し、認証してから通信するシステムの場合、ユーザ端末３０等の利用する機器を変更したりすると、他方の機器に変更した機器の情報を変更入力する等の手間が生じ、利便性は高くないが、利用者がログイン時に入力した外部管理用ＩＤと、測定時に体組成計４０に入力した外部管理用ＩＤとを照合しているため、例えば交換等によって異なる機器を用いた場合であっても、問題なく、安全に通信して，測定値を利用者を識別して安全に格納して管理でき、利用者にとっての利便性を向上することができる。
【０１５６】
なお、本実施例において、利用者の体重及びインピーダンスを測定できる体組成計４０を用いたが、上述の実施例２で用いたような血圧計１５０や、体重のみを測定できる体重計、心臓の筋肉の動きに伴う電流を計測する心電計、あるいは血糖値を計測する血糖計で構成してもよい。
【０１５７】
また、本実施例において、体組成計４０は、直接インターネット２０に接続できる構成であったが、サーバ１０等のサーバに有線や無線で接続して、サーバ１０を介してインターネット２０に接続される構成であってもよい。
【０１５８】
また、本実施例においては、利用者の測定値や利用者情報をサーバ１０の記憶部１４の利用者情報管理テーブル２７１に格納する構成であったが、ユーザ端末３０の記憶部３４に格納し、生体情報取得システム３００にサーバ１０を備えずとも、ユーザ端末３０と、体組成計４０のみで生体情報取得システム３００を構成してもよい。
【０１５９】
これらの上述する構成であっても同じ効果を得ることができる。  
なお、この発明は、上述の実施形態の構成のみに限定されるものではなく、多くの実施の形態を得ることができる。
【図面の簡単な説明】
【０１６０】
【図１】体生体情報取得システムのシステム構成図。
【図２】体生体情報取得システムのシステム構成を示すブロック図。
【図３】利用者情報の管理テーブルについての説明図。
【図４】体利用者登録処理についてのフローチャート。
【図５】生体情報取得システムのシステム構成図。
【図６】生体情報取得システムのシステム構成を示すブロック図。
【図７】利用者情報の管理テーブルについての説明図。
【図８】再アカウント登録処理についてのフローチャート。
【図９】生体情報取得システムのシステム構成図。
【図１０】生体情報取得システムのシステム構成を示すブロック図。
【図１１】識別情報の管理テーブルについての説明図。
【図１２】測定機器選択及び測定値登録処理についてのフローチャート。
【図１３】機器選択画面の概要説明図。
【図１４】生体情報取得システムのシステム構成図。
【図１５】生体情報取得システムのシステム構成を示すブロック図
【図１６】利用者情報の管理テーブルについての説明図。
【図１７】測定方法についてのフローチャート。
【符号の説明】
【０１６１】
１，１００，２００，３００…生体情報取得システム
１０…サーバ
１１…制御部
１４…記憶部
１５…通信部
３０…ユーザ端末
３１…制御部
４０…体組成計
４１…制御部
４６…記憶部
７２…測定結果管理テーブル
１５０…血圧計
１７１…利用者情報管理テーブル
２３０…ユーザ携帯電話
２３１…制御部
２３３…表示部
２３６…ＧＰＳ受信部
２７１…利用者情報管理テーブル
２７２…測定機器情報管理テーブル
３７１…利用者情報管理テーブル
２３３０…機器選択画面
２３３２…利用可能機器選択プルダウン
２３３３…選択送信ボタン
【図１】
2010154881.tif 000003
【図２】
2010154881.tif 000004
【図３】
2010154881.tif 000005
【図４】
2010154881.tif 000006
【図５】
2010154881.tif 000007
【図６】
2010154881.tif 000008
【図７】
2010154881.tif 000009
【図８】
2010154881.tif 000010
【図９】
2010154881.tif 000011
【図１０】
2010154881.tif 000012
【図１１】
2010154881.tif 000013
【図１２】
2010154881.tif 000014
【図１３】
2010154881.tif 000015
【図１４】
2010154881.tif 000016
【図１５】
2010154881.tif 000017
【図１６】
2010154881.tif 000018
【図１７】
2010154881.tif 000019